(57)【特許請求の範囲】
【請求項１】
体毛処理装置に設けられた除毛を行うヘッド部が該体毛処理装置の下端部となるように該体毛処理装置を支持する支持部と、
この支持部に支持されて前記体毛処理装置の下端部に位置する前記ヘッド部に、除毛の際に用いられる処理剤を供給する剤供給部と、
を備え、
前記剤供給部は、前記処理剤を貯蔵する剤容器、前記剤容器にパイプを介して吸入側が連通されたポンプ及び前記ポンプの吐出側にパイプを介して連通された剤吐出口を有し、
前記ポンプが動作することにより、前記剤容器に貯蔵した処理剤を前記剤吐出口から前記ヘッド部に向けて吐出して該ヘッド部に供給することを特徴とする剤供給装置。
【請求項２】
前記支持部に支持された前記体毛処理装置のヘッド部から落下する前記処理剤を受け取る受け部を備える請求項１に記載の剤供給装置。
【発明の詳細な説明】
【技術分野】
【０００１】
本発明は、除毛処理として体毛を剃ったり引き抜いたりする体毛処理装置に処理剤を供給する剤供給装置に関する。
【背景技術】
【０００２】
従来、電気かみそりや脱毛装置などの体毛処理装置の除毛処理を行うヘッド部に、シェービングローションなどの処理剤を供給する剤供給装置が提案されている（例えば、特許文献１参照）。これにより、除毛処理においてヘッド部から肌面に処理剤が塗布されて肌面の滑り性が向上する。
【特許文献１】特開２００３−３３９４２５号公報
【発明の開示】
【発明が解決しようとする課題】
【０００３】
しかしながら、従来の剤供給装置では、ヘッド部が体毛処理装置の上端部となるように体毛処理装置を支持して、ヘッド部に処理剤を供給するため、処理剤の供給処理中に、処理剤が体毛処理装置の下端部に向かって垂れ落ちてしまい、処理終了後に、体毛処理装置を把持する使用者の手に処理剤が付着してしまい、使用者に不快感を与えてしまうという問題がある。また、この場合、処理剤の供給処理中に、ヘッド部の外刃に形成された多数の刃孔や外刃同士の隙間から、処理剤がヘッド部の内部へ入り込んでしまい、内刃や刃フレームを伝わって垂れ落ちてしまうという問題がある。このようにヘッド部の内部に垂れ落ちた処理剤は、肌面に供給されず無駄になってしまう。
【０００４】
本発明の目的は、剤供給装置において、体毛処理装置のヘッド部に供給した処理剤がヘッド部以外の体毛処理装置の他の部分やヘッド部の内部に垂れ落ちることを抑制することである。
【課題を解決するための手段】
【０００５】
請求項１に記載の発明の剤供給装置は、体毛処理装置に設けられた除毛を行うヘッド部が該体毛処理装置の下端部となるように該体毛処理装置を支持する支持部と、この支持部に支持されて前記体毛処理装置の下端部に位置する前記ヘッド部に、除毛の際に用いられる処理剤を供給する剤供給部と、を備え、前記剤供給部は、前記処理剤を貯蔵する剤容器、前記剤容器にパイプを介して吸入側が連通されたポンプ及び前記ポンプの吐出側にパイプを介して連通された剤吐出口を有し、前記ポンプが動作することにより、前記剤容器に貯蔵した処理剤を前記剤吐出口から前記ヘッド部に向けて吐出して該ヘッド部に供給することを特徴とする。
【０００６】
請求項２に記載の発明は、請求項１に記載の剤供給装置において、前記支持部に支持された前記体毛処理装置のヘッド部から落下する前記処理剤を受け取る受け部を備える。
【発明の効果】
【０００７】
請求項１に記載の発明によれば、支持部に支持された体毛処理装置の下端部に位置するヘッド部に処理剤を供給するので、処理剤がヘッド部以外の体毛処理装置の他の部分やヘッド部の内部に垂れ落ちることを抑制することができる。よって、体毛処理装置のヘッド部以外の他の部分（グリップ部）を把持した使用者の手に処理剤が付着して使用者に不快感を与えることを抑制することができると共に、処理剤がヘッド部の内部に垂れ落ちて無駄になることを抑制することができる。
【０００８】
請求項２に記載の発明によれば、剤供給部によってヘッド部に供給した処理剤がヘッド部に付着せずに落下したときには、その処理剤は受け部が受け取るので、剤供給装置の周囲に処理剤が飛散することを抑制することができる。
【発明を実施するための最良の形態】
【０００９】
本発明の一実施形態を図面に基づいて説明する。図１は、本実施形態にかかる剤供給装置を体毛処理装置と共に示す斜視図、図２は、体毛処理装置を示す正面図、図３は、体毛処理装置を示す底面図、図４は、剤供給装置の支持部を示し、（ａ）は、正面図、（ｂ）は、側面図である。
【００１０】
図１に示すように、剤供給装置１は、体毛処理装置２を支持し、体毛処理装置２のヘッド部３に対して処理剤Ａの供給を行うものである。
【００１１】
体毛処理装置２について説明する。図２及び図３に示すように、体毛処理装置２は、体毛の除去を切断によって行うヘッド部３と使用者が把持可能なグリップ部４とから構成された電気かみそりである。ヘッド部３は、ケース５とこのケース５に設けられた刃部６とから構成されている。刃部６は、固定刃である外刃６ａとこの外刃６ａの内側に配設された可動刃である内刃とを有しており、内刃が往復動することにより、外刃６ａと内刃とによって体毛を切断する構成となっている。グリップ部４には、図示しない制御部や充電式電池が内蔵されている。ここで、体毛処理装置２は、電気かみそりの他に、例えば、体毛を脱毛する脱毛装置であってもよい。
【００１２】
次に、剤供給装置１の各部を詳しく説明する。図１に示すように、剤供給装置１は、体毛処理装置２を着脱自在に支持する支持部１１と、この支持部１１に支持された体毛処理装置２のヘッド部３に粉末状の処理剤Ａを供給する剤供給部１２と、処理剤Ａが供給されたヘッド部３を乾燥させる乾燥部１３とを備えている。これらの支持部１１、剤供給部１２、乾燥部１３は、筐体１４に設けられている。ここで、粉末状の処理剤Ａは、体毛処理装置２による除毛の際に用いられるものであり、例えば、肌面の滑り性を向上させるものである。
【００１３】
剤供給部１２は、処理剤Ａと水などの液体Ｂとから構成される混合液Ｃを貯蔵する剤容器１５と、この剤容器１５にパイプ１６を介して吸入側が連通されたポンプ１７と、このポンプ１７の吐出側にパイプ１８を介して連通された剤吐出口１９と、剤容器１５内を攪拌する攪拌部２０とから構成されている。剤容器１５、ポンプ１７、剤吐出口１９は、この順で下から上に配設されている。
【００１４】
剤容器１５は、その上壁に貫通孔１５ａが形成されており、この貫通孔１５ａがパイプ１６に接続されている。この剤容器１５は、筐体に対して着脱自在に設けられている。
【００１５】
剤吐出口１９は、後方斜め上方に向けて混合液Ｃを吐出するものであり、支持部１１に保持された体毛処理装置２のヘッド部３に対向する位置に設けられている。
【００１６】
ポンプ１７は、例えば、歯車ポンプや、ダイヤフラムポンプ、ファン２４ポンプなどを例示することができる。
【００１７】
攪拌部２０は、剤容器１５内に回動自在に設けられた攪拌材２１と、この攪拌材２１を回動駆動するモータ２２とを有している。攪拌部２０は、攪拌材２１をモータ２２によって回動させることで、剤供給部１２内の混合液Ｃを攪拌するようになっている。このような攪拌動作は、剤供給部１２から処理剤Ａがヘッド部３に供給される前及び供給中に行なわれる。
【００１８】
この剤供給部１２では、ポンプ１７が動作することにより、剤供給部１２に貯蔵されている粉末状の剤が剤吐出口１９からヘッド部３に向けて吐出され、これにより、ヘッド部３に混合液Ｃが供給される。
【００１９】
乾燥部１３は、剤供給部１２の上方に配置されている。この乾燥部１３は、ファンケース２３と、このファンケース２３に内蔵されたファン２４と、ファンケース２３に内蔵されてファン２４を回動駆動するファンモータ（図示せず）と、ファンケース２３に内蔵された熱線（図示せず）とから構成されている。
【００２０】
ファンケース２３には、空気を吸い込む吸込口（図示せず）と、空気を送風する送風口２３ａとが設けられている。送風口２３ａは、後方斜め下方に向けて開口しており、支持部１１に保持された体毛処理装置２のヘッド部３に対向する位置に設けられている。
【００２１】
この乾燥部１３では、通電された熱線が発熱した状態で、ファンモータによってファン２４が回動駆動されることにより、吸込口から吸いこんだ空気を熱線によって暖めて送風口２３ａからヘッド部３に送風する。
【００２２】
支持部１１は、体毛処理装置２を支持するものであり、体毛処理装置２の背面と底面とに沿った形状に形成されそれら背面と底面とを支持する支持面１１ａが形成されている。図４に示すように、この支持面１１ａには、体毛処理装置２の背面に形成された２つの嵌合凹部４ａ（図２参照）及び底面に形成された１つの嵌合凹部４ａ（図３参照）に取り外し可能に嵌合する嵌合凸部１１ｂが立設されている。
【００２３】
この支持部１１は、ヘッド部３が体毛処理装置２の下端部となるように体毛処理装置２を支持する。即ち、ヘッド部３の外面が下向きとなる。この支持部１１に支持された体毛処理装置２は、ヘッド部３が乾燥部１３の剤吐出口１９及び乾燥部１３の送風口２３ａに対向する。
【００２４】
また、体毛処理装置２の底面に設けられた嵌合凹部４ａと、この嵌合凹部４ａに対応する支持部１１の嵌合凸部１１ｂには、それぞれ接続端子（図示せず）が設けられている。そして、支持部１１に体毛処理装置２が固定されることにより、それら接続端子同士が接続され、これにより、例えば商用電源に接続された剤供給装置１から体毛処理装置２へ電気が供給されて、体毛処理装置２が充電されるようになっている。
【００２５】
また、筐体１４には、支持部１１に支持された体毛処理装置２のヘッド部３の下方に位置させた受け部１４ａが設けられている。この受け部１４ａは、支持部１１に支持された体毛処理装置２のヘッド部３から落下する処理剤Ａを受け取るものである。
【００２６】
次に、剤供給装置１が行う処理を説明する。メインスイッチ５４がＯＮ操作された場合、体毛処理装置２のヘッド部３に処理剤Ａを供給する。具体的には、ポンプ１７を駆動して、剤容器１５に貯蔵されている混合液Ｃを剤吐出口１９からヘッド部３に向けて吐出して、ヘッド部３に供給する（図７）。これにより、処理剤Ａが液体Ｂによってヘッド部３に確実に付着する。
【００２７】
次に、乾燥部１３のファンモータを駆動して送風口２３ａから温風をヘッド部３に吹き付けて、ヘッド部３の余分な水分（液体Ｂ）を蒸発させて、ヘッド部３を乾燥させる。これにより、粉末状の処理剤Ａのみがヘッド部３に強固に付着して残る。
【００２８】
また、この処理中には、剤供給装置１の接続端子から体毛処理装置２の接続端子へ電気が供給されて、体毛処理装置２が充電される。
【００２９】
そして、このように処理剤Ａが供給された体毛処理装置２によってシェービング動作を行う際には、使用者は、体毛処理装置２を支持部１１から取り外して、ヘッド部３を肌面に当ててシェービング動作を行うこととなる。このシェービング動作により、ヘッド部３に付着した処理剤Ａが肌面に供給されるので、肌面に粉末状の処理剤Ａを塗布しながらのシェービングが可能となる。これにより、肌滑り効果や肌荒れ防止効果が発揮され、心地良いシェービング感を得ることができる。
【００３０】
以上説明したように、本実施形態では、支持部１１に支持された体毛処理装置２の下端部に位置するヘッド部３に処理剤Ａを供給するので、処理剤Ａがヘッド部３以外の体毛処理装置２の他の部分（グリップ部４）やヘッド部３の内部に垂れ落ちることを抑制することができる。よって、体毛処理装置２のヘッド部３以外の他の部分（グリップ部４）を把持した使用者の手に処理剤Ａが付着して使用者に不快感を与えることを抑制することができると共に、処理剤Ａがヘッド部３の内部に垂れ落ちて無駄になることを抑制することができる。
【００３１】
また、本実施の形態では、剤供給部１２によってヘッド部３に供給した処理剤Ａがヘッド部３に付着せずに落下した場合には、その処理剤Ａを受け部１４ａが受け取るので、剤供給装置１の周囲に処理剤Ａが飛散することを抑制することができる。また、このように、落下した処理剤Ａを受け部１４ａが受け取るので、その処理剤Ａを再利用することができる。
【００３２】
また、剤供給装置１から体毛処理装置２に処理剤Ａが供給されることから、体毛処理装置２には、処理剤Ａを格納する構造及びヘッド部３に処理剤Ａを供給する構造を設ける必要がないので、その分、体毛処理装置２を小型化することができる。
【００３３】
また、体毛処理装置２を支持部１１に固定した状態において、体毛処理装置２の底面に設けられた接続端子と、支持部１１に設けられた接続端子とが接続され、それらの接続端子を介して剤供給装置１から体毛処理装置２へ電気が供給されて、体毛処理装置２が充電されるので、シェービング時に電池切れすることが抑制され、使い勝手が良い。
【００３４】
また、粉末状の処理剤Ａが液体Ｂとともに剤供給部１２からヘッド部３に供給されるので、ヘッド部３に接触した処理剤Ａが確実にヘッド部３に付着し、処理剤Ａがヘッド部３からこぼれたりヘッド部３に当たって飛び散ったりすることを抑制することができる。
【００３５】
また、本実施形態では、攪拌部２０によって剤供給部１２内の混合液Ｃが攪拌されるので、混合液Ｃの混合状態を均一な状態とすることができ、処理剤Ａをヘッド部３にムラ無く均一に付着させることがでる。また、肌滑りをより向上させる径の大きな処理剤Ａでも、この攪拌材２１の回転によって、満遍なく攪拌することができる。
【００３６】
なお、本発明は、本実施形態に限ることなく本発明の要旨を逸脱しない範囲で他の実施形態を各種採用することができる。例えば、処理剤Ａと液体Ｂとを別々の貯蔵部に貯蔵して、液体Ｂを霧化してヘッド部３に吐出させてもよい。
【図面の簡単な説明】
【００３７】
【図１】本発明の一実施形態にかかる剤供給装置を体毛処理装置と共に示す斜視図である。
【図２】体毛処理装置を示す正面図である。
【図３】体毛処理装置を示す底面図である。
【図４】剤供給装置の支持部を示し、（ａ）は、正面図、（ｂ）は、側面図である。
【符号の説明】
【００３８】
１      剤供給装置
２      体毛処理装置
３      ヘッド部
１１    支持部
１２    剤供給部
１４ａ  受け部
Ａ      処理剤
【図１】
0004412267.tif 000002
【図２】
0004412267.tif 000003
【図３】
0004412267.tif 000004
【図４】
0004412267.tif 000005